(57)【要約】  制御部（１００）は、受信品質測定部（１１３）にて測定したNcqi個のリソースブロックの受信品質に基づいて、Ncqi個のリソースブロックの中から最も良好なCQI値を持つM個のリソースブロックを選択し、そのリソースブロックの位置情報、およびM個のリソースブロックのCQI値の平均を求め、これらをCQI情報としてＣＱＩチャネル生成部（１０３）に出力する。また、ベストエフォート型のデータ通信を行う場合には、制御部（１００）は、パラメータM=Maとする。一方、低レートだが遅延の小さい通信を行う場合には、大きな自由度でスケジューリングするために、パラメータM=Mb（=Ncqi-Ma）とするようにしたものである。
2009081628.tif 000002
【特許請求の範囲】
【請求項１】
ネットワークに収容される基地局装置と無線通信する無線装置において、
予め設定されたＮ個の無線リソースの受信品質を測定する測定手段と、
予め設定された通信サービスが開始されたことを検出する検出手段と、
前記測定手段が測定したＮ個の無線リソースの受信品質に基づいて、そのうち良好な受信品質が測定されたＭ個（Ｍ＜Ｎ）の無線リソースの識別情報を前記基地局装置に通知するものであって、前記検出手段が前記通信サービスの開始を検出した場合には、前記測定手段が測定したＮ個の無線リソースの受信品質に基づいて、そのうち良好な受信品質が測定されたＮ−Ｍ個の無線リソースの識別情報を前記基地局装置に通知する通知手段とを具備することを特徴とする無線装置。
【請求項２】
ネットワークに収容される基地局装置と無線通信する無線装置において、
予め設定されたＮ個の無線リソースの受信品質を測定する測定手段と、
予め設定された通信サービスが開始されたことを検出する検出手段と、
前記測定手段が測定したＮ個の無線リソースの受信品質に基づいて、そのうち良好な受信品質が測定されたＭ個（Ｍ＜Ｎ）の無線リソースの識別情報を前記基地局装置に通知する第１の処理と、前記測定手段が測定したＮ個の無線リソースの受信品質に基づいて、そのうち良好な受信品質が測定されたＮ−Ｍ個の無線リソースの識別情報を前記基地局装置に通知する第２の処理とを繰り返し行う通知手段とを具備することを特徴とする無線装置。
【請求項３】
前記通知手段は、前記第１の処理と前記第２の処理とを、前記測定手段が測定を行う毎に切り替えて行うことを特徴とする請求項２に記載の無線装置。
【請求項４】
ネットワークに収容される基地局装置と無線通信する無線装置において、
予め設定されたＮ個の無線リソースの受信品質を測定する測定手段と、
予め設定されたイベントが発生したことを検出する検出手段と、
前記測定手段が測定したＮ個の無線リソースの受信品質に基づいて、そのうち良好な受信品質が測定されたＭ個（Ｍ＜Ｎ）の無線リソースの識別情報を前記基地局装置に通知するものであって、前記検出手段が前記イベントの発生を検出した場合には、前記測定手段が測定したＮ個の無線リソースの受信品質に基づいて、そのうち良好な受信品質が測定されたＮ−Ｍ個の無線リソースの識別情報を前記基地局装置に通知する通知手段とを具備することを特徴とする無線装置。
【請求項５】
前記検出手段は、通信のサービス種別が予め設定された種別に変更された場合をイベント発生として検出することを特徴とする請求項４に記載の無線装置。
【請求項６】
前記検出手段は、移動速度が予め設定された閾値を超えた場合をイベント発生として検出することを特徴とする請求項４に記載の無線装置。
【請求項７】
前記検出手段は、受信環境の良好さを示す値が予め設定された閾値を超えた場合をイベント発生として検出することを特徴とする請求項４に記載の無線装置。
【請求項８】
前記検出手段は、基地局がオーバロードに陥った場合をイベント発生として検出することを特徴とする請求項４に記載の無線装置。
【請求項９】
前記通信手段は、前記検出手段が前記イベントの発生を検出した場合には、予め設定された継続回数だけ、前記測定手段が測定したＮ個の無線リソースの受信品質に基づいて、そのうち良好な受信品質が測定されたＮ−Ｍ個の無線リソースの識別情報を前記基地局装置に通知し、その後は、前記測定手段が測定したＮ個の無線リソースの受信品質に基づいて、そのうち良好な受信品質が測定されたＭ個の無線リソースの識別情報を前記基地局装置に通知することを特徴とする請求項４に記載の無線装置。
【請求項１０】
さらに、前記基地局装置から前記継続回数の通知を受信する受信手段を備えることを特徴とする請求項９に記載の無線装置。
【請求項１１】
ネットワークに収容される基地局装置と無線通信する無線通信方法において、
予め設定されたＮ個の無線リソースの受信品質を測定する測定工程と、
予め設定された通信サービスが開始されたことを検出する検出工程と、
前記測定工程で測定したＮ個の無線リソースの受信品質に基づいて、そのうち良好な受信品質が測定されたＭ個（Ｍ＜Ｎ）の無線リソースの識別情報を前記基地局装置に通知するものであって、前記検出工程で前記通信サービスの開始を検出した場合には、前記測定工程で測定したＮ個の無線リソースの受信品質に基づいて、そのうち良好な受信品質が測定されたＮ−Ｍ個の無線リソースの識別情報を前記基地局装置に通知する通知工程とを具備することを特徴とする無線通信方法。
【請求項１２】
ネットワークに収容される基地局装置と無線通信する無線通信方法において、
予め設定されたＮ個の無線リソースの受信品質を測定する測定工程と、
予め設定された通信サービスが開始されたことを検出する検出工程と、
前記測定工程で測定したＮ個の無線リソースの受信品質に基づいて、そのうち良好な受信品質が測定されたＭ個（Ｍ＜Ｎ）の無線リソースの識別情報を前記基地局装置に通知する第１の処理と、前記測定工程で測定したＮ個の無線リソースの受信品質に基づいて、そのうち良好な受信品質が測定されたＮ−Ｍ個の無線リソースの識別情報を前記基地局装置に通知する第２の処理とを繰り返し行う通知工程とを具備することを特徴とする無線通信方法。
【請求項１３】
前記通知工程は、前記第１の処理と前記第２の処理とを、前記測定工程で測定を行う毎に切り替えて行うことを特徴とする請求項１２に記載の無線通信方法。
【請求項１４】
ネットワークに収容される基地局装置と無線通信する無線通信方法において、
予め設定されたＮ個の無線リソースの受信品質を測定する測定工程と、
予め設定されたイベントが発生したことを検出する検出工程と、
前記測定工程で測定したＮ個の無線リソースの受信品質に基づいて、そのうち良好な受信品質が測定されたＭ個（Ｍ＜Ｎ）の無線リソースの識別情報を前記基地局装置に通知するものであって、前記検出工程で前記イベントの発生を検出した場合には、前記測定工程で測定したＮ個の無線リソースの受信品質に基づいて、そのうち良好な受信品質が測定されたＮ−Ｍ個の無線リソースの識別情報を前記基地局装置に通知する通知工程とを具備することを特徴とする無線通信方法。
【請求項１５】
前記検出工程は、通信のサービス種別が予め設定された種別に変更された場合をイベント発生として検出することを特徴とする請求項１４に記載の無線通信方法。
【請求項１６】
前記検出工程は、移動速度が予め設定された閾値を超えた場合をイベント発生として検出することを特徴とする請求項１４に記載の無線通信方法。
【請求項１７】
前記検出工程は、受信環境の良好さを示す値が予め設定された閾値を超えた場合をイベント発生として検出することを特徴とする請求項１４に記載の無線通信方法。
【請求項１８】
前記検出工程は、基地局がオーバロードに陥った場合をイベント発生として検出することを特徴とする請求項１４に記載の無線通信方法。
【請求項１９】
前記通信工程は、前記検出工程で前記イベントの発生を検出した場合には、予め設定された継続回数だけ、前記測定工程で測定したＮ個の無線リソースの受信品質に基づいて、そのうち良好な受信品質が測定されたＮ−Ｍ個の無線リソースの識別情報を前記基地局装置に通知し、その後は、前記測定工程で測定したＮ個の無線リソースの受信品質に基づいて、そのうち良好な受信品質が測定されたＭ個の無線リソースの識別情報を前記基地局装置に通知することを特徴とする請求項１４に記載の無線通信方法。
【請求項２０】
さらに、前記基地局装置から前記継続回数の通知を受信する受信工程を備えることを特徴とする請求項１９に記載の無線通信方法。
【発明の詳細な説明】
【技術分野】
【０００１】
本発明は、例えば携帯電話などの移動通信システムに用いられる無線装置に関する。
【背景技術】
【０００２】
周知のように、適応変調を採用する無線通信システムでは、移動局は、受信品質の最も良好な基地局について無線伝送路品質を測定し、その伝送路品質情報そのものを基地局に送信し、基地局はその値に基づいて、移動局が受信可能な伝送フォーマット（変調方式、符号化率、送信電力の組み合わせ）を決定する。あるいは、移動局が測定結果の値に基づいて、受信可能な伝送フォーマットを決定し、伝送フォーマット情報を基地局に伝送する。このように、基地局に送信するフィードバック情報のことをＣＱＩ（Channel Quality Indication）と呼んでいる。【０００３】
そして、基地局は、移動局にて求められたCQIに基づいて、上記移動局へ送信するデータの伝送フォーマットを切り替えて、個別情報チャネルを通じ伝送情報の送信を行う。すなわち、基地局は、当該移動局の受信状態に適応した誤り耐性の伝送レートで上記送信をスケジューリングすることができる。【０００４】
また、基地局が移動局に割り当てるリソース単位が同時に複数ある場合には、移動局は各リソースのCQIを測定し、これを基地局に通知する。例えば、無線アクセススキームとしてOFDMA（Orthogonal Frequency Division Multiplexing Access）を採用するシステムでは、多数のサブキャリアを同時に使用して通信を行うことができる。このため、システム帯域を連続した複数のサブキャリアからなるブロック群に分割し、各移動局にはこれらのリソースブロック単位の割り当てを行い、伝送フォーマットを切り替えることができる。【０００５】
このように、複数の移動局、すなわち各受信局が複数のリソースの中から、より伝送路品質が良好なリソースを送信局（基地局）から割り当ててもらうことによって、受信局のスループットが向上する。また、複数の受信局の中から相対的に受信環境のいい受信局に対して、送信局が優先的に下りデータ送信リソースを割り当てることによって、システム全体のスループットを向上させることができる（例えば、IEEE国際会議,VTC 2000 Spring 発表原稿 A.Japali,R.Padovani,R.Pankaj著、"Data throughput of CDMA-HDR a High Efficieney-High Data Rate Personal Communication Wireless System"）。【０００６】
ところで、送信局が受信局に割り当て可能なリソース数が増加すると、受信局から送信局へのCQI送信に関わるシグナリングオーバヘッドが、より大きな問題となる。この問題を解決するために、様々なCQI情報圧縮技術が考えられている（例えば、R1-073933, Mitsubishi Electric, "Selection of CQI reporting scheme", 3GPP TSG RAN WG1 #50bis）。【０００７】
例えば、Best M average方式のようなリソース番号の中からM個のCQI値を選択し、同時にそれらの位置情報を通知するタイプのCQI情報圧縮技術では、通信のサービス種別や受信機の移動速度、伝送路環境によって、システムスループットを最大にする最適なM値（CQI値を送信するリソース数）が異なる。しかし、M値を変更するとリソース位置の情報量が変わるのでCQI情報量が変動する。これにより以下の問題が発生する。【０００８】
CQI送信に用いる物理チャネルのサイズが固定の場合、CQI情報量が変動すると予め定められたCQI情報送信リソースサイズと整合性がとれなくなる。一方、CQI送信に用いる物理チャネルのサイズをCQI情報量の最大値に固定した場合には、定常的にリソースの無駄遣いが生じることになる。また上記サイズを平均的なCQI情報量に固定した場合には、その固定したサイズをCQI情報量が超えると、新たなCQI情報送信リソースを割り当てなければならなくなる。また、何らかの方法により受信局と送信局との間で、CQI情報量を認識し合う必要があり、そのために新たなシグナリングオーバヘッドが発生する。
【発明の開示】
【０００９】
従来では、サービスなどに応じて、CQI値を送信するリソース数を切り替えるためには、その数に応じたCQIリソース情報（移動局が基地局にCQIを送信するサブキャリア群、CQIフォーマット、変調方式など）を予め送信側と受信側で申し合わせる必要があるという問題があった。  
この発明は上記の問題を解決すべくなされたもので、CQI値を送信するリソース数を切り替えても、上記CQIリソース情報を予め送信側と受信側で申し合わせる必要がない無線装置を提供することを目的とする。
【００１０】
上記の目的を達成するために、この発明は、ネットワークに収容される基地局装置と無線通信する無線装置において、予め設定されたＮ個の無線リソースの受信品質を測定する測定手段と、予め設定されたイベントが発生したことを検出する検出手段と、測定手段が測定したＮ個の無線リソースの受信品質に基づいて、そのうち良好な受信品質が測定されたＭ個（Ｍ＜Ｎ）の無線リソースの識別情報を基地局装置に通知するものであって、検出手段がイベントの発生を検出した場合には、測定手段が測定したＮ個の無線リソースの受信品質に基づいて、そのうち良好な受信品質が測定されたＮ−Ｍ個の無線リソースの識別情報を基地局装置に通知する通知手段とを具備して構成するようにした。
【図面の簡単な説明】
【００１１】
【図１】図１は、この発明に係わる無線装置のCQI通知の切替制御を説明するための図である。
【図２】図２は、この発明に係わる無線通信システムの個別情報チャネルに対する帯域割当の一例を示す図である。
【図３】図３は、この発明の一実施形態に係わる無線通信システムの受信装置（移動局）の構成を示す回路ブロック図である。
【図４】図４は、この発明の一実施形態に係わる無線通信システムの送信装置（基地局）の構成を示す回路ブロック図である。
【図５】図５は、この発明の第１の実施形態に係わる無線通信システムの動作を説明するためのシーケンス図である。
【図６】図６は、この発明の第２の実施形態に係わる無線通信システムの動作を説明するためのシーケンス図である。
【図７】図７は、この発明の第３の実施形態に係わる無線通信システムの動作を説明するためのシーケンス図である。
【図８】図８は、この発明の第４の実施形態に係わる無線通信システムの動作を説明するためのシーケンス図である。
【図９】図９は、この発明の第５の実施形態に係わる無線通信システムの動作を説明するためのシーケンス図である。
【発明を実施するための最良の形態】
【００１２】
以下、図面を参照して、この発明の一実施形態について説明する。以下に説明する実施の形態では、基地局（送信局）が移動局（受信局）に割り当てることができるリソース数がN個（N>1）であり、各移動局は、このN個のリソースの伝送路品質を測定し、そのうちM個（M<N）を選択して、CQI(Channel Quality Indicator)情報として基地局に送信する場合を例に挙げる。また移動局が基地局に送信するCQI情報には、リソースを識別するためのリソース番号が含まれるものとする。そして、CQI情報圧縮技術として、Best M Average方式を採用する場合を例に挙げて説明する。【００１３】
Best M Average方式は、割り当て可能なNcqi個のリソースの中からCQI値の良好なM個を選択し、それらM個のCQI値の平均と、M個のリソース位置情報に相当する値を送信する。例えば、CQI値の平均を5ビットとした場合、CQI情報量は以下の式（１）で表せる。
【数１】
2009081628.tif 000003
【００１４】
一般に、Best M average方式のように、リソース位置情報を通知するタイプのCQI圧縮方式では、通信のサービス種別や受信機の移動速度、伝送路品質環境によって、最適なM値（CQI値を送信するリソース数）が異なる。【００１５】
例えば、ベストエフォート型のデータ通信（例えば、ファイルのダウンロード）を行いたい移動局Ａは、図１（ａ）に示すように、高い受信品質のリソース番号のみを基地局に通知することで、遅延が大きくなるものの高スループットの通信が期待できる。すなわち、Ncqi=8に対して、Ma=2である。【００１６】
これに対して、低レートだが遅延の小さい通信（例えば、VoIP(Voice over Internet Protocol)パケットの再送）を行いたい移動局Ｂにとっては、図１（ｂ）に示すように、伝送路品質がある程度良好なリソース番号を数多く基地局に通知し、基地局には大きい自由度でスケジューリングしてもらったほうが都合がよい。すなわち、Ncqi=8に対して、Mb=6である。【００１７】
このように、移動局の各時点での通信の種別が異なることで、M値が異なるが、Ma+Mb=Ncqiが成立する場合、いずれのM値であっても、上式（１）で示したCQI情報量は同じである。すなわち、通信のサービス種別に応じてM値をMaからMb（=Ncqi-Ma）に切り替えても（あるいはその逆）、CQI情報量は同じである。本発明は、この点に着目し、これにより、移動局から基地局に送信するCQI情報量を一定にする。【００１８】
この発明の一実施形態に係わる無線通信システムは、OFDM変調方式を採用する。OFDM変調方式では、高速なデータ信号を低速で狭帯域なデータ信号に変換し、周波数軸上で、複数のサブキャリアを使って並列に伝送する。この実施形態では、図２に示すように、OFDMが、サブキャリア数６００、サブキャリア間隔１５ｋＨｚで構成される場合を例にして説明する。また、図２に示すように、個別情報チャネルに対する帯域割当は、２５サブキャリアづつ、２４の帯域（リソースブロック）に分けて割り当てる場合を例に挙げる。【００１９】
図３は、この発明の第１の実施形態に係わる無線通信システムの受信局（移動局）の構成を示すものである。  
パイロットチャネル生成部１０１は、パイロットチャネルを通じて送信するパイロット信号の元となるビット列を生成し、スクランブリングコードをかけてから、これを変調部１０４に出力する。またＣＱＩチャネル生成部１０３は、制御部１００から通知されるCQI情報のビット列を生成し、これを変調部１０４に出力する。なお、ＣＱＩチャネル生成部１０３は、上記ＣＱＩ情報をチャネル符号化することもできる。チャネルコーディング部１０２は、制御部１００から指示されたチャネルコーディングレートで、上り送信データビット列をチャネル符号化し、変調部１０４に出力する。【００２０】
変調部１０４は、上記パイロット信号、上記ＣＱＩ情報および上記チャネル符号化された上り送信データ信号のそれぞれの元となるビット列に対して、制御部１００から指示された変調方式で、直交位相シフトキーイング（ＱＰＳＫ）のようなディジタル変調を施すことによって、パイロット信号、ＣＱＩ信号、送信データ信号を生成する。【００２１】
生成されたパイロット信号及び送信データ信号は、物理リソース割当部１０５によって制御部１００から指示されたサブキャリアにそれぞれ割り当てられる。なお、ここでいう「信号をサブキャリアに割り当てる」とは、複素数値で表される信号に対して、対応するリソースブロック内のサブキャリアの時間軸上及び周波数軸上の位置を表すサブキャリアインデックスを付加することを意味する。【００２２】
高速逆フーリエ変換（ＩＦＦＴ）部１０６は、物理リソース割当部１０５から出力される周波数領域の信号を時間領域の信号に変換して、ディジタル−アナログ変換器、アップコンバータ及び電力増幅器などを含む送信ＲＦ部１０７によって無線（ＲＦ）信号に変換され、これをデュプレクサ１０８およびアンテナを通じて、基地局に向け空間に放射する。【００２３】
また基地局から送信された無線信号は、アンテナで受信され、デュプレクサ１０８を通じて受信ＲＦ部１０９に出力される。受信された無線信号は、ダウンコンバータ及びアナログ−ディジタル変換器などを含む受信ＲＦ部１０９によってベースバンドディジタル信号に変換される。【００２４】
高速フーリエ変換（ＦＦＴ）部１１０は、上記ベースバンドディジタル信号を、高速フーリエ変換し、これにより時間領域の信号から周波数領域の信号、すなわちサブキャリア毎の信号に分割する。このようにしてサブキャリア毎に分割された信号は、周波数チャネル分離部１１１に出力される。【００２５】
周波数チャネル分離部１１１は、制御部１００からの指示にしたがって、サブキャリア毎に分割された信号を、パイロット信号、制御チャネルの信号およびデータ信号にそれぞれ分離する。【００２６】
このうち、パイロット信号は、パイロットデスクランブリング部１１２により、移動局が受信しようとする信号を送信する基地局において用いられるスクランブルパターンと逆のデスクランブリングパターンによってデスクランブルされ、この結果は制御チャネル復調部１１４、データチャネル復調部１１５および受信品質測定部１１３に出力される。受信品質測定部１１３は、上記パイロット信号に基づいて、Ncqi個のリソースブロックの受信品質をそれぞれ測定する。これらの測定結果は、制御部１００に出力される。【００２７】
制御チャネル復調部１１４は、周波数チャネル分離部１１１から出力される制御チャネルの信号を、パイロットデスクランブリング部１１２でデスクランブリングされたパイロット信号を用いてチャネル等価したのち、復調する。このようにして復調された制御チャネルビット列は、制御部１００に出力される。【００２８】
制御部１００は、当該移動局の各部を統括して制御するものである。制御部１００は、上記制御チャネルに含まれる情報に基づいて、受信信号が、当該移動局宛ての信号であるか否かを、サブフレーム毎に判定する。そして制御部１００は、受信信号が当該移動局宛ての信号であると判定した場合、この信号に含まれるシグナリング情報を抽出し、これからデータチャネル信号の復調に必要な情報と、データチャネル信号の復号に必要な情報を検出する。【００２９】
データチャネル信号の復調に必要な情報は、データチャネル復調部１１５に出力され、一方、データチャネルの復号に必要な情報は、チャネルデコーディング部１１６に出力される。また、制御部１００は、受信信号が当該移動局宛ての信号でないと判定した場合は、データチャネル信号の復調および復号の処理は中止される。【００３０】
データチャネル復調部１１５は、周波数チャネル分離部１１１から出力される各信号を、パイロットデスクランブリング部１１２から出力されたパイロット信号を用いてチャネル等価したのち、制御部１００から指示される復調方式および出力される情報に基づいて復調する。このようにして復調されたデータビット列は、チャネルデコーディング部１１６によってデコードされ、当該移動局宛ての下りデータビット列が得られる。ここでのデコードには、制御部１００から出力される情報が用いられる。【００３１】
また制御部１００は、基地局との間の通信において適応変調制御を行い、そこで用いるCQI情報圧縮方式として、例えばBest M Average方式を採用する。このため、制御部１００は、図示しないユーザインタフェースを通じたユーザからの要求などに応じて、実施すべきサービス種別を判定し、この判定結果に応じて、基地局に通知するCQIの数Mを切り替える。【００３２】
そして制御部１００は、受信品質測定部１１３にて測定したNcqi個のリソースブロックの受信品質に基づいて、Ncqi個のリソースブロックの中から最も良好なCQI値を持つM個のリソースブロックを選択し、そのリソースブロックの位置情報（前述したリソース位置情報）、およびM個のリソースブロックのCQI値の平均を求め、これらをCQI情報としてＣＱＩチャネル生成部１０３に出力する。【００３３】
この例では、ベストエフォート型のデータ通信（例えば、ファイルのダウンロード）を行う場合には、制御部１００は、図１（ａ）に示すように、M=Maとする。一方、低レートだが遅延の小さい通信（例えば、VoIPパケットの再送）を行う場合には、大きな自由度でスケジューリングするために、M=Mb（=Ncqi-Ma）とする。【００３４】
図４は、この発明の第１の実施形態に係わる無線通信システムの送信装置（基地局、すなわちNode B）の構成を示すものである。  
パイロットチャネル生成部２０１は、パイロットチャネルを通じて送信するパイロット信号の元となるビット列を生成し、スクランブリングコードをかけてから、これを変調部２０３に出力する。チャネルコーディング部２０２は、チャネルコーディング器２０２１〜２０２ｍを備える。チャネルコーディング器２０２１〜２０２ｍは、それぞれ制御部２００から指示されたチャネルコーディングレートで、下り送信データビット列をチャネル符号化し、変調部２０３に出力する。【００３５】
変調部２０３は、チャネルコーディング器２０２１〜２０２ｍにそれぞれ対応する変調器２０３１〜２０３ｍを備える。変調器２０３１〜２０３ｍは、それぞれ、上記パイロット信号、上記チャネル符号化された下り送信データ信号のそれぞれの元となるビット列に対して、制御部２００から指示された変調方式で、直交位相シフトキーイング（ＱＰＳＫ）のようなディジタル変調を施すことによって、パイロット信号、送信データ信号を生成する。【００３６】
生成されたパイロット信号及び送信データ信号は、物理リソース割り当て部２０４によって制御部２００から指示されたサブキャリアにそれぞれ割り当てられる。なお、ここでいう「信号をサブキャリアに割り当てる」とは、複素数値で表される信号に対して、対応するリソースブロック内のサブキャリアの時間軸上及び周波数軸上の位置を表すサブキャリアインデックスを付加することを意味する。【００３７】
高速逆フーリエ変換（ＩＦＦＴ）部２０５は、物理リソース割当部２０４から出力される周波数領域の信号を時間領域の信号に変換する。そして、この信号は、ディジタル−アナログ変換器、アップコンバータ及び電力増幅器などを含む送信ＲＦ部２０６によって無線（ＲＦ）信号に変換され、これをデュプレクサ２０７およびアンテナを通じて、移動局に向け空間に放射される。【００３８】
また移動局から送信された無線信号は、アンテナで受信され、デュプレクサ２０７を通じて受信ＲＦ部２０８に出力される。受信された無線信号は、ダウンコンバータ及びアナログ−ディジタル変換器などを含む受信ＲＦ部２０８によってベースバンドディジタル信号に変換される。【００３９】
高速フーリエ変換（ＦＦＴ）部２０９は、上記ベースバンドディジタル信号を、高速フーリエ変換し、これにより時間領域の信号から周波数領域の信号、すなわちサブキャリア毎の信号に分割する。このようにしてサブキャリア毎に分割された信号は、周波数チャネル分離部２１０に出力される。【００４０】
周波数チャネル分離部２１０は、制御部２００からの指示にしたがって、サブキャリア毎に分割された信号を、パイロット信号、ＣＱＩの信号およびデータ信号にそれぞれ分離する。【００４１】
このうち、パイロット信号は、パイロットデスクランブリング部２１１により、基地局が受信しようとする信号を送信する移動局において用いられるスクランブルパターンと逆のデスクランブリングパターンによってデスクランブルされ、この結果はＣＱＩ復調部２１２およびデータチャネル復調部２１３に出力される。【００４２】
ＣＱＩ復調部２１２は、周波数チャネル分離部１１１から出力されるＣＱＩ信号を、パイロットデスクランブリング部２１１でデスクランブリングされたパイロット信号を用いてチャネル等価したのち、復調する。このようにして復調されたＣＱＩ信号は、さらに、ＣＱＩ復調部２１２にて、チャネル復号され、移動局から送られたＣＱＩ情報が取り出され、制御部２００に出力される。【００４３】
データチャネル復調部２１３は、複数のデータチャネル復調器２１３１〜２１３ｎを備える。データチャネル復調器２１３１〜２１３ｎは、周波数チャネル分離部２１０から出力される各信号を、それぞれパイロットデスクランブリング部２１１から出力されたパイロット信号を用いてチャネル等価したのち、制御部２００から指示される復調方式および出力される情報に基づいて復調する。このようにして復調されたデータビット列は、チャネルデコーディング部２１４に出力される。【００４４】
チャネルデコーディング部２１４は、データチャネル復調器２１３１〜２１３ｎにそれぞれ対応するチャネルデコーディング器２１４１〜２１４ｎを備える。チャネルデコーディング器２１４１〜２１４ｎは、それぞれデータチャネル復調器２１３１〜２１３ｎにて復調されたデータビット列をデコードし、移動局から送られた上りデータビット列を得る。ここでのデコードには、制御部１００から出力される情報が用いられる。【００４５】
制御部２００は、当該基地局の各部を統括して制御するものであって、例えば、移動局からのフィードバック情報（ＣＱＩ情報や受信応答のAck/Nack）や、各移動局宛てのデータ量や優先度に基づいて、フレーム毎にどの移動局宛てのパケットを送信するかを制御するスケジューラ手段を備え、物理リソース割当部２０４に対する指示により、同じフレームで複数の移動局宛てのデータをＯＦＤＭ多重させる。【００４６】
また制御部２００は、移動局に対して適応変調制御を行うものであり、移動局が採用するCQI情報圧縮方式（例えばBest M Average方式）に対応する。このため、制御部２００は、制御部１００と同様の判定基準で、実施すべきサービス種別に応じて、移動局から通知されるCQIの数Mを認識する。【００４７】
すなわちこの例では、ベストエフォート型のデータ通信（例えば、ファイルのダウンロード）を行う場合には、制御部２００は、図１（ａ）に示すように、M=Maと認識する。一方、低レートだが遅延の小さい通信（例えば、VoIPパケットの再送）を行う場合には、大きな自由度でスケジューリングするために、M=Mb（=Ncqi-Ma）と認識する。【００４８】
次に、上記構成の無線通信システムの動作について説明する。図５に、移動局と基地局との間で為されるCQI送信に関するシーケンス図を示す。  
まず、移動局と基地局が通信を開始する際、基地局では、制御部２００が、移動局に対して割り当てるCQIリソース情報をスケジューリングする（シーケンスＳ５０１）。この処理は、移動局と基地局が通信を開始する毎に実施される。【００４９】
なお、CQIリソース情報とは、移動局が基地局にCQIを送信する時間−周波数リソース、CQIフォーマット、変調方式などの情報である。ここで、時間−周波数リソースとは、変調したCQI信号をOFDM多重するサブキャリアの集合を時間と周波数で示したものである。そして、基地局では、制御部２００が送信系を制御し、制御チャネルを通じて上記スケジューリングの結果に基づくCQIリソース情報を移動局に通知する（シーケンスＳ５０２）。【００５０】
また、この時点において制御部２００は、ダウンロードやストリーミング受信といったデフォルトのVoIP通信以外のデータ通信を行うために、移動局から通知されるCQIの数MをMaと認識する。ここで、Maの値をシステム共通、基地局共通とする場合には、Pre-definedな情報であることより、改めて移動局に通知しない。なお、通信に先立って共通チャネルによって基地局から移動局に報知するようにしてもよい。また、移動局固有の値としてもよく、その場合には、上記CQIリソース情報によって移動局に通知する。【００５１】
これに対して移動局では、制御部１００が、受信系を制御して上記制御チャネルを受信し、制御チャネル復調部１１４の復調結果から基地局から送信されたCQIリソース情報を取得する。なお、この時点において制御部１００は、デフォルトのベストエフォート型のデータ通信を行うために、基地局に通知するCQIの数がMaであることを認識する。【００５２】
そして移動局では、シーケンスＳ５０３として制御部１００が、通信に先立って共通制御チャネルを通じて報知されているパイロットチャネルのリソース割り当て情報に基づいて、周波数チャネル分離部１１１に対して分離すべきチャネルを通知する。これにより、周波数チャネル分離部１１１は、制御部１００から通知されたCQIリソース情報に対応するNcqi個のリソースブロックのパイロット信号を分離して、パイロットデスクランブリング部１１２に出力する
これにより、受信品質測定部１１３は、基地局から指定されたNcqi個のリソースブロックの信号が入力され、これについてCQI測定を行う。そして制御部１００は、受信品質測定部１１３の測定結果のうち、良好なMa個のCQI値を選択し、それらMa個のCQI値の平均と、Ma個のリソース位置情報に相当する値を示すCQI情報を生成する。【００５３】
そして移動局では、シーケンスＳ５０４として制御部１００が、シーケンスＳ５０３で生成したCQI情報をＣＱＩチャネル生成部１０３に出力する。これにより、上記CQI情報は、ＣＱＩチャネル生成部１０３および送信系を通じて、基地局に送信される。【００５４】
その後、移動局は、制御部１００の制御によって、予め設定した周期が到来する毎に、シーケンスＳ５０３と同様にしてCQI測定が行われるとともに（シーケンスＳ５０５）、その測定結果を基地局に送信する（シーケンスＳ５０６）。以後、CQI測定とCQI送信を繰り返し実行する。【００５５】
このとき基地局にこの移動局に対する下りデータ送信が発生した場合には、基地局は制御部２００により、移動局から送られたMa個のCQI情報や、この移動局以外の移動局からフィードバックされた情報を用いて、各移動局に対して下りデータを送信するためのスケジューリングを行い（シーケンスＳ５０７）、送信系を制御して制御チャネルを通じて基地局が各移動局にデータ送信するのに用いるリソースブロック位置、サブフレーム番号、コードレートなどの制御情報と共にデータ送信を行う（シーケンスＳ５０８）。【００５６】
やがて、移動局において、ユーザ要求などによりVoIP通信を開始する必要が生じると（シーケンスＳ５０９）、制御部１００は、送信系を制御して、Higher layerの通信により基地局に対してVoIP通信の開始を要求する（シーケンスＳ５１０）。【００５７】
これに対して、基地局は、上記要求を受信すると、制御部２００が、移動局が基地局にVoIPパケットを送信するのに用いるリソースブロック位置、サブフレーム番号、コードレート等の上りリソース、および基地局が移動局にVoIPパケットを送信するのに用いるリソースブロック位置、サブフレーム番号、コードレート等の下りリソースをスケジューリングする（シーケンスＳ５１１）。そして、基地局では、制御部２００が送信系を制御し、制御チャネルを通じて、上記上り／下り通信用のリソースパラメータ（割り当てリソースブロック位置、サブフレーム番号、コードレート等）を移動局に通知する（シーケンスＳ５１２）。なお、この時点において制御部２００は、VoIP通信を行うために、移動局から通知されるCQIの数MをMb（=Ncqi-Ma）と認識する。【００５８】
これに対して移動局では、制御部１００が、受信系を制御して上記制御チャネルを受信し、制御チャネル復調部１１４の復調結果から基地局から送信された制御情報を取得する。なお、この時点において制御部１００は、VoIP通信を行うために、基地局に通知するCQIの数がMbであることを認識する。【００５９】
そして移動局では、シーケンスＳ５１３として制御部１００が、通信に先立って共通制御チャネルを通じて報知されているパイロットチャネルのリソース割り当て情報に基づいて、周波数チャネル分離部１１１に対して分離すべきチャネルを通知する。これにより、周波数チャネル分離部１１１は、制御部１００から通知されたCQIリソース情報に対応するNcqi個のリソースブロックのパイロット信号を分離して、パイロットデスクランブリング部１１２に出力する
これにより、受信品質測定部１１３は、基地局から指定されたNcqi個のリソースブロックの信号が入力され、これについてCQI測定を行う。そして制御部１００は、受信品質測定部１１３の測定結果のうち、良好なMb個のCQI値を選択し、それらMb個のCQI値の平均と、Mb個のリソース位置情報に相当する値を示すCQI情報を生成する。【００６０】
そして移動局では、シーケンスＳ５１４として制御部１００が、シーケンスＳ５１３で生成したCQI情報をＣＱＩチャネル生成部１０３に出力する。これにより、上記CQI情報は、ＣＱＩチャネル生成部１０３および送信系を通じて、基地局に送信される。以後、VoIP通信が為され、その後、移動局は、制御部１００の制御によって、予め設定した周期が到来する毎に、シーケンスＳ５１３と同様にしてCQI測定が行われるとともに、その測定結果を基地局に送信する。以後、CQI測定とCQI送信を繰り返し実行する。【００６１】
その後、VoIP通信中に、移動局の制御部１００がVoIPパケットの受信に失敗したことを検出すると、すなわち移動局のチャネルコーディング部１１６において受信したVoIPパケットのデコーディングに失敗したことを検出すると、制御部１００が送信系を制御して受信失敗フィードバック（NACK）を基地局に送信する（シーケンスＳ５１６）。【００６２】
これに対して基地局は、上記NACKを受けると、VoIPパケットを再送するために、制御部２００が、上記移動局から送られたMb個のCQI情報やこの移動局以外の移動局からのフィードバック情報を用いて、この上記移動局に対する再送パケットのスケジューリングを行い（シーケンスＳ５１７）、送信系を制御して制御チャネルを通じて基地局が移動局にデータ送信するのに用いるリソースブロック位置、サブフレーム番号、コードレートなどの制御情報と共にデータ送信を行う（シーケンス５１８）。【００６３】
以後、基地局は、VoIP通信が終了した場合には、移動局が基地局に通知するCQIの数MをMbからMa（=Ncqi-Mb）とし、また移動局においても、上記MをMbからMaに変更する。【００６４】
したがって、移動局は、制御部１００の制御によって、予め設定した周期が到来する毎に、シーケンスＳ５１３と同様にしてCQI測定が行われる（シーケンスＳ５１９）とともに、その測定結果を基地局に送信する（シーケンスＳ５２０）。以後、CQI測定とCQI送信を繰り返し実行する。【００６５】
以上のように、上記構成の無線通信システムでは、移動局および基地局は、通信のサービスの種別に応じて、移動局が基地局に通知するCQIの数MをMaからMb（=Ncqi-Ma）に、あるいはMbからMa（=Ncqi-Mb）に切り替えるようにしている。すなわち、サービスの種別に応じて、移動局が基地局に通知するCQIの数Mを切り替えても、下式（２）で示すように、CQI情報の量は変化しない。
【数２】
2009081628.tif 000004
【００６６】
したがって、上記構成の無線通信システムによれば、サービスの種別を変更するなどして、CQI値を送信するリソース数を切り替えても、CQI情報の量は変化しないので、サービス種別の変更に先立って移動局と基地局の間で、CQI情報の量を申し合わせる必要がない。またサービスの種別は、移動局及び基地局においてそれぞれ認識できるので、サービス種別の変更に伴って、両者の間でパラメータMの切り替えのシグナリングが必要なく、CQIリソース情報を変更する必要もない。【００６７】
またこのように、サービス種別に応じてMa、Mb（Ma<Mb）を切り替えることによって、基地局の制御部２００におけるスケジューリング性能が向上する。つまり、Maの場合には、この移動局に割り当て可能なリソースの数が限定されるが、良好な伝送路品質のリソースのみがスケジューリングされるため遅延が増すかもしれないが、高レートでデータ送信が出来るためスループットが増し、他方、Mbの場合には、この移動局に割り当て可能なリソースの数が多いので、小さな遅延でこの移動局へのデータ割り当てを行うことができる。【００６８】
次に、この発明の第２の実施形態に係わる無線通信システムについて説明する。この無線通信システムの受信局（移動局）および送信局（基地局）の各構成は、図２および図３で説明したものと同様であることより、説明を省略する。【００６９】
ただし、第２の実施形態に係わる移動局の制御部１００は、第１の実施形態のようにサービスの種別に応じてパラメータMを切り替えるのではなく、基地局側と同期した周期で、パラメータMを切り替える。例えば、パラメータMの値をMaからMb（=Ncqi-Ma）に、あるいはMbからMa（=Ncqi-Mb）に交互に周期的に切り替える。同様に、第２の実施形態に係わる基地局の制御部２００は、移動局側と同期した周期で、パラメータMを切り替える。【００７０】
以下、図６に示すシーケンス図を参照して、第２の実施形態に係わる移動局と基地局との間で為されるCQI送信に関する動作について説明する。  
まず、移動局と基地局が通信を開始する際、基地局では、制御部２００が、移動局に対して割り当てるCQIリソース情報をスケジューリングする（シーケンスＳ６０１）。この処理は、移動局と基地局が通信を開始する毎に実施される。【００７１】
そして、基地局では、制御部２００が送信系を制御し、制御チャネルを通じて上記スケジューリングの結果に基づくCQIリソース情報と、パラメータMを交互に切り替える旨を示すM情報とを移動局に通知する（シーケンスＳ６０２）。また、この時点において制御部２００は、初期のパラメータMは、Maから開始されることを認識している。【００７２】
これに対して移動局では、制御部１００が、受信系を制御して上記制御チャネルを受信し、制御チャネル復調部１１４の復調結果から基地局から送信されたCQIリソース情報を取得する。なお、この時点において制御部１００は、初期のパラメータMは、Maから開始されることを認識している。【００７３】
そして移動局では、シーケンスＳ６０３として制御部１００が、通信に先立って共通制御チャネルを通じて報知されているパイロットチャネルのリソース割り当て情報に基づいて、周波数チャネル分離部１１１に対して分離すべきチャネルを通知する。これにより、周波数チャネル分離部１１１は、制御部１００から通知されたCQIリソース情報に対応するNcqi個のリソースブロックのパイロット信号を分離して、パイロットデスクランブリング部１１２に出力する。【００７４】
これにより、受信品質測定部１１３は、基地局から指定されたNcqi個のリソースブロックの信号が入力され、これについてCQI測定を行う。そして制御部１００は、受信品質測定部１１３の測定結果のうち、良好なMa個のCQI値を選択し、それらMa個のCQI値の平均と、Ma個のリソース位置情報に相当する値を示すCQI情報を生成する。【００７５】
そして移動局では、シーケンスＳ６０４として制御部１００が、シーケンスＳ６０３で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、パラメータMをMaからMb（=Ncqi-Ma）に更新する。一方、基地局においても、上記CQI情報を受信すると、制御部２００は、パラメータMをMaからMbに更新する。【００７６】
このため、シーケンスＳ６０５において移動局は、制御部１００が、シーケンスＳ６０３と同様にして、受信品質測定部１１３のうち、良好なMb個のCQI値を選択し、それらMb個のCQI値の平均と、Mb個のリソース位置情報に相当する値を示すCQI情報を生成する。【００７７】
そして移動局では、シーケンスＳ６０６として制御部１００が、シーケンスＳ６０５で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、パラメータMをMbからMa（=Ncqi-Mb）に更新する。一方、基地局においても、上記CQI情報を受信すると、制御部２００は、パラメータMをMbからMaに更新する。【００７８】
以後、シーケンスＳ６０７において移動局は、シーケンスＳ６０３と同様にして、受信品質測定部１１３の測定結果のうち、良好なMa個のCQI値を選択し、それらMa個のCQI値の平均と、Ma個のリソース位置情報に相当する値を示すCQI情報を生成する。  
そして、移動局では、シーケンスＳ６０８として制御部１００が、シーケンスＳ６０７で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、パラメータMをMaからMb（=Ncqi-Ma）に更新する。一方、基地局においても、上記CQI情報を受信すると、制御部２００は、パラメータMをMaからMbに更新する。【００７９】
そして、シーケンスＳ６０９において移動局は、シーケンスＳ６０５と同様にして、受信品質測定部１１３の測定結果のうち、良好なMb個のCQI値を選択し、それらMb個のCQI値の平均と、Mb個のリソース位置情報に相当する値を示すCQI情報を生成する。  
そして移動局では、シーケンスＳ６１０として制御部１００が、シーケンスＳ６０９で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、パラメータMをMbからMa（=Ncqi-Mb）に更新する。一方、基地局においても、上記CQI情報を受信すると、制御部２００は、パラメータMをMbからMaに更新する。【００８０】
そしてその後、基地局において、基地局が移動局にデータ送信するのに用いるリソースブロック位置、サブフレーム番号、コードレート等をスケジューリングしたとする（シーケンスＳ６１１）。これにより、基地局では、制御部２００が送信系を制御し、制御チャネルを通じて上記スケジューリングの結果に基づく制御情報と共にデータ送信を行う（シーケンスＳ６１２）。なお、この時点において制御部２００は、シーケンスＳ６１０によるCQI送信を受信しているため、次に移動局から送信されるCQI情報は、パラメータMaに対応するものであることを認識しており、上述のように基地局からのデータ送信とは独立したルールでパラメータMはMaとMb間を切り替える。【００８１】
その後、シーケンスＳ６１３において移動局は、シーケンスＳ６０３、Ｓ６０７と同様にして、受信品質測定部１１３の測定結果のうち、良好なMa個のCQI値を選択し、それらMa個のCQI値の平均と、Ma個のリソース位置情報に相当する値を示すCQI情報を生成する。【００８２】
そして、移動局では、シーケンスＳ６１４として制御部１００が、シーケンスＳ６１３で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、パラメータMをMaからMb（=Ncqi-Ma）に更新する。一方、基地局においても、上記CQI情報を受信すると、制御部２００は、パラメータMをMaからMbに更新する。【００８３】
そしてその後、シーケンスＳ６１５において移動局は、シーケンスＳ６０５、Ｓ６０９と同様にして、受信品質測定部１１３の測定結果のうち、良好なMb個のCQI値を選択し、それらMb個のCQI値の平均と、Mb個のリソース位置情報に相当する値を示すCQI情報を生成する。【００８４】
そして、移動局では、シーケンスＳ６１６として制御部１００が、シーケンスＳ６１５で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、パラメータMをMbからMa（=Ncqi-Mb）に更新する。一方、基地局においても、上記CQI情報を受信すると、制御部２００は、パラメータMをMbからMaに更新する。【００８５】
以上のように、上記構成の無線通信システムでは、移動局と基地局とが同期して、移動局が基地局に通知するCQIの数MをMaからMb（=Ncqi-Ma）に、あるいはMbからMa（=Ncqi-Mb）に切り替えるようにしている。このような構成により、移動局が基地局に通知するCQIの数Mを切り替えても、式（２）で示したようにCQI情報の量は変化しない。【００８６】
したがって、上記構成の無線通信システムによれば、CQI値を送信するリソース数を切り替えても、CQI情報の量は変化しないので、サービス種別の変更に先立って移動局と基地局の間で、CQI情報の量を申し合わせる必要がない。【００８７】
また、上記の実施形態では、基地局の制御部２００がパラメータMの値を交互に切り替えることを決定するようにしたが、これに代わって例えば、パラメータMの切替ルールをシステム固有とし、移動局と基地局の間で予め既知とすれば、基地局から移動局への通知を行わなくてもよくなる。【００８８】
また上記実施の形態では、パラメータMの値を、MaとMb（=Ncqi-Ma）との間で交互に切り替えるものとしたが、それぞれＮ回ずつ連続して採用するようにしたり、あるいは一方の値をN1回連続して採用した後、他方をＮ２回だけ採用したして、再び切り替えるようにしてもよい。このような切替ルールであっても、システム固有として移動局と基地局の間で予め既知とすれば、基地局から移動局への通知を行わなくてもよくなる。【００８９】
次に、この発明の第３の実施形態に係わる無線通信システムについて説明する。この無線通信システムの受信局（移動局）および送信局（基地局）の各構成は、図２および図３で説明したものと同様であることより、説明を省略する。【００９０】
ただし、第３の実施形態に係わる移動局の制御部１００は、第１の実施形態のようにサービスの種別に応じてパラメータMを切り替えるのではなく、基地局側からのフラグ通知によりパラメータMを切り替える。例えば、パラメータMの値をMaからMb（=Ncqi-Ma）に、あるいはMbからMa（=Ncqi-Mb）に、予め設定した期間の間だけ切り替える。【００９１】
このため、第３の実施形態に係わる基地局の制御部２００は、サービス種別、移動局の移動速度、受信環境、当該基地局のオーバロード状況などを少なくとも１つ監視し、この監視結果に応じて、移動局に対して上記フラグ通知を行う。なお、移動局の移動速度は、基地局側で移動局が基地局への上り信号のドップラーシフトを測定することによって推定することができる。また、移動局側で、GPSなどの装置を用いて測定したり、基地局から移動局への下り信号のドップラーシフトを測定することによっても推定することができる。移動局側で移動速度を求めた場合には、この情報を制御チャネルなどを用いて基地局に送信する必要がある。【００９２】
以下、図７に示すシーケンス図を参照して、第３の実施形態に係わる移動局と基地局との間で為されるCQI送信に関する動作について説明する。  
まず、移動局と基地局が通信を開始する際、基地局では、制御部２００が、移動局に対して割り当てるCQIリソース情報をスケジューリングする（シーケンスＳ７０１）。この処理は、移動局と基地局が通信を開始する毎に実施される。【００９３】
そして、基地局では、制御部２００が送信系を制御し、制御チャネルを通じて上記スケジューリングの結果に基づくCQIリソース情報を移動局に通知する（シーケンスＳ７０２）。また、この時点において制御部２００は、初期のパラメータMは、Maから開始されることを認識している。【００９４】
これに対して移動局では、制御部１００が、受信系を制御して上記制御チャネルを受信し、制御チャネル復調部１１４の復調結果から基地局から送信されたCQIリソース情報を取得する。なお、この時点において制御部１００は、初期のパラメータMは、Maから開始されることを認識している。【００９５】
そして移動局では、シーケンスＳ７０３として制御部１００が、通信に先立って共通制御チャネルを通じて報知されているパイロットチャネルのリソース割り当て情報に基づいて、周波数チャネル分離部１１１に対して分離すべきチャネルを通知する。これにより、周波数チャネル分離部１１１は、制御部１００から通知されたCQIリソース情報に対応するNcqi個のリソースブロックのパイロット信号を分離して、パイロットデスクランブリング部１１２に出力する。【００９６】
これにより、受信品質測定部１１３は、基地局から指定されたNcqi個のリソースブロックの信号が入力され、これについてCQI測定を行う。そして制御部１００は、受信品質測定部１１３の測定結果のうち、良好なMa個のCQI値を選択し、それらMa個のCQI値の平均と、Ma個のリソース位置情報に相当する値を示すCQI情報を生成する。【００９７】
そして移動局では、シーケンスＳ７０４として制御部１００が、シーケンスＳ７０３で生成したCQI情報をＣＱＩチャネル生成部１０３に出力する。これにより、上記CQI情報は、ＣＱＩチャネル生成部１０３および送信系を通じて、基地局に送信される。【００９８】
以後、シーケンスＳ７０５において移動局は、シーケンスＳ７０３と同様にして、受信品質測定部１１３の測定結果のうち、良好なMa個のCQI値を選択し、それらMa個のCQI値の平均と、Ma個のリソース位置情報に相当する値を示すCQI情報を生成する。  
そして、シーケンスＳ７０６において移動局は、シーケンスＳ７０４と同様にして、上記CQI情報を、ＣＱＩチャネル生成部１０３および送信系を通じて、基地局に送信する。そしてシーケンスＳ７０７、Ｓ７０８においても同様の処理を繰り返す。【００９９】
その後、シーケンスＳ７０９において基地局が、パラメータMをMaからMb（=Ncqi-Ma）に切り替えるイベントが発生したことを検出したとする。イベントの発生としては、通信のサービス種別が予め設定されたものに変更、移動局の移動速度が閾値以上に変化、受信環境の良好さを示す値が閾値以上に変化、当該基地局がオーバロード状況に陥った場合などが考えられる。基地局の制御部２００は、シーケンスＳ７０９にてこれらを監視して、イベント発生を検出する。【０１００】
イベント発生を検出すると、基地局の制御部２００は、シーケンスＳ７１０を実行する。すなわち制御部２００は、送信系を制御し、制御チャネルを通じて、パラメータMをMaからMb（=Ncqi-Ma）に切り替える旨と、このパラメータMを継続させる回数Ｎを示すフラグを送信する。なお、継続回数Nは、上記の監視結果に応じた値に設定するようにしてもよい。以下の説明では、例としてNを「２」とする。【０１０１】
これに対して移動局では、制御部１００が、受信系を制御して上記制御チャネルを受信し、制御チャネル復調部１１４の復調結果から基地局から送信されたフラグを取得し、このフラグを解析して、基地局がパラメータMをMaからMbに変更することを認識するとともに、そのパラメータMをＮ回継続させて、CQI情報を送信することを認識する。また制御部１００は、カウンタｎを「０」にリセットする。【０１０２】
そして、シーケンスＳ７１１において移動局は、制御部１００が、通信に先立って共通制御チャネルを通じて報知されているパイロットチャネルのリソース割り当て情報に基づいて、周波数チャネル分離部１１１に対して分離すべきチャネルを通知する。これにより、周波数チャネル分離部１１１は、制御部１００から通知されたCQIリソース情報に対応するNcqi個のリソースブロックのパイロット信号を分離して、パイロットデスクランブリング部１１２に出力する。【０１０３】
これにより、受信品質測定部１１３は、基地局から指定されたNcqi個のリソースブロックの信号が入力され、これについてCQI測定を行う。そして制御部１００は、受信品質測定部１１３の測定結果のうち、良好なMb個のCQI値を選択し、それらMb個のCQI値の平均と、Mb個のリソース位置情報に相当する値を示すCQI情報を生成する。【０１０４】
そして移動局では、シーケンスＳ７１２として制御部１００が、シーケンスＳ７１１で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、カウンタｎをインクリメントし、カウンタｎの値が、基地局からフラグにて通知されたNと等しくなったか否かを判定する。ここでは、まだ１度目の送信であるため、パラメータMをMbのまま継続し、Maへの更新は行わない。【０１０５】
そしてその後、基地局において、基地局が移動局にデータ送信するのに用いるリソースブロック位置、サブフレーム番号、コードレート等をスケジューリングしたとする（シーケンスＳ７１３）。これにより、基地局では、制御部２００が送信系を制御し、制御チャネルを通じて上記スケジューリングの結果に基づく制御情報と共にデータ送信を行う（シーケンスＳ７１４）。なお、この時点において制御部２００は、シーケンスＳ７１０によってフラグ通知を行っているため、次に移動局から送信されるCQI情報は、パラメータMbに対応するものであることを認識している。このように各時点で最適なMパラメータが選択されているので、基地局が下りデータ送信スケジューリングをする際、スケジューリングの正確性向上が期待できる。【０１０６】
そして、シーケンスＳ７１５において移動局は、シーケンスＳ７１１と同様にして、受信品質測定部１１３の測定結果のうち、良好なMb個のCQI値を選択し、それらMb個のCQI値の平均と、Mb個のリソース位置情報に相当する値を示すCQI情報を生成する。  
そして移動局では、シーケンスＳ７１６として制御部１００が、シーケンスＳ７１５で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、カウンタｎをインクリメントし、カウンタｎの値が、基地局からフラグにて通知されたNと等しくなったか否かを判定する。ここでは、２度目の送信であるため、カウンタｎの値がNに一致するので、パラメータMをMaに更新する。【０１０７】
以後、シーケンスＳ７１７において移動局は、シーケンスＳ７０３と同様にして、受信品質測定部１１３の測定結果のうち、良好なMa個のCQI値を選択し、それらMa個のCQI値の平均と、Ma個のリソース位置情報に相当する値を示すCQI情報を生成する。  
そして、移動局では、シーケンスＳ７１８として制御部１００が、シーケンスＳ７１７で生成したCQI情報をＣＱＩチャネル生成部１０３に出力する。これにより、上記CQI情報は、ＣＱＩチャネル生成部１０３および送信系を通じて、基地局に送信される。以後、シーケンスＳ７０９およびＳ７１０のように、イベントが発生するまでは、パラメータMaを採用して、CQI情報の生成と送信を行う。【０１０８】
以上のように、上記構成の無線通信システムでは、基地局がイベント発生を監視し、この監視結果に応じて、移動局が基地局に通知するCQIの数MをMaからMb（=Ncqi-Ma）に、あるいはMbからMa（=Ncqi-Mb）に切り替えるようにしている。このような構成により、移動局が基地局に通知するCQIの数Mを切り替えても、式（２）で示したようにCQI情報の量は変化しない。【０１０９】
したがって、上記構成の無線通信システムによれば、CQI値を送信するリソース数Mを切り替えても、CQI情報の量は変化しないので、パラメータMの変更に先立って移動局と基地局の間で、CQI情報の量を申し合わせる必要がない。【０１１０】
なお、上記実施の形態では、基地局から移動局に通知するフラグを通じて、切り替えたパラメータの継続回数Nを通知するようにしたが、このような移動局から基地局へのCQI情報の送信回数を復帰条件とするのではなく、時間による制限を設けるようにしてもよい。すなわち、基地局は移動局に対して、上記フラグにより制限時間Tを通知し、これに対して移動局の制御部１００は、上記フラグを受信した後にパラメータMbを切り替えるとともにタイマｔを起動し、その後、制限時間Tが経過するまでは、パラメータMbを採用し、やがて制限時間Tを経過すると元のパラメータMaに復帰するようにする。基地局においても同様に、制御部２００は、フラグ通知後、制限時間Tが経過するまでは、パラメータMbを採用し、制限時間Tが経過すると、パラメータMaを採用する。このような制御でも、移動局と基地局との間で、パラメータMの整合が取れ、またCQI情報の量は変化しないので、同様の効果が得られる。【０１１１】
次に、この発明の第４の実施形態に係わる無線通信システムについて説明する。この無線通信システムの受信局（移動局）および送信局（基地局）の各構成は、図２および図３で説明したものと同様であることより、説明を省略する。【０１１２】
ただし、第４の実施形態に係わる移動局の制御部１００は、第１の実施形態のようにサービスの種別に応じてパラメータMを切り替えるのではなく、移動局側からのフラグ通知によりパラメータMを切り替える。例えば、パラメータMの値をMaからMb（=Ncqi-Ma）に、あるいはMbからMa（=Ncqi-Mb）に、予め設定した期間の間だけ切り替える。このため、第４の実施形態に係わる移動局の制御部１００は、サービス種別、当該移動局の移動速度、受信環境などを少なくとも１つ監視し、この監視結果に応じて、基地局に対して上記フラグ通知を行う。【０１１３】
以下、図８に示すシーケンス図を参照して、第４の実施形態に係わる移動局と基地局との間で為されるCQI送信に関する動作について説明する。  
まず、移動局と基地局が通信を開始する際、基地局では、制御部２００が、移動局に対して割り当てるCQIリソース情報をスケジューリングする（シーケンスＳ８０１）。この処理は、移動局と基地局が通信を開始する毎に実施される。【０１１４】
そして、基地局では、制御部２００が送信系を制御し、制御チャネルを通じて上記スケジューリングの結果に基づくCQIリソース情報を移動局に通知する（シーケンスＳ８０２）。また、この時点において制御部２００は、初期のパラメータMは、Maから開始されることを認識している。【０１１５】
これに対して移動局では、制御部１００が、受信系を制御して上記制御チャネルを受信し、制御チャネル復調部１１４の復調結果から基地局から送信されたCQIリソース情報を取得する。なお、この時点において制御部１００は、初期のパラメータMは、Maから開始されることを認識している。【０１１６】
そして移動局では、シーケンスＳ８０３として制御部１００が、通信に先立って共通制御チャネルを通じて報知されているパイロットチャネルのリソース割り当て情報に基づいて、周波数チャネル分離部１１１に対して分離すべきチャネルを通知する。これにより、周波数チャネル分離部１１１は、制御部１００から通知されたCQIリソース情報に対応するNcqi個のリソースブロックのパイロット信号を分離して、パイロットデスクランブリング部１１２に出力する。【０１１７】
これにより、受信品質測定部１１３は、基地局から指定されたNcqi個のリソースブロックの信号が入力され、これについてCQI測定を行う。そして制御部１００は、受信品質測定部１１３の測定結果のうち、良好なMa個のCQI値を選択し、それらMa個のCQI値の平均と、Ma個のリソース位置情報に相当する値を示すCQI情報を生成する。【０１１８】
そして移動局では、シーケンスＳ８０４として制御部１００が、シーケンスＳ８０３で生成したCQI情報をＣＱＩチャネル生成部１０３に出力する。これにより、上記CQI情報は、ＣＱＩチャネル生成部１０３および送信系を通じて、基地局に送信される。【０１１９】
以後、シーケンスＳ８０５において移動局は、シーケンスＳ８０３と同様にして、受信品質測定部１１３の測定結果のうち、良好なMa個のCQI値を選択し、それらMa個のCQI値の平均と、Ma個のリソース位置情報に相当する値を示すCQI情報を生成する。  
そして、シーケンスＳ８０６において移動局は、シーケンスＳ８０４と同様にして、上記CQI情報を、ＣＱＩチャネル生成部１０３および送信系を通じて、基地局に送信する。そしてシーケンスＳ８０７、Ｓ８０８においても同様の処理を繰り返す。【０１２０】
その後、シーケンスＳ８０９において移動局が、パラメータMをMaからMb（=Ncqi-Ma）に切り替えるイベントが発生したことを検出したとする。イベントの発生としては、通信のサービス種別が予め設定されたものに変更、当該移動局の移動速度が閾値以上に変化、受信環境の良好さを示す値が閾値以上に変化などが考えられる。移動局の制御部１００は、シーケンスＳ８０９にてこれらを監視して、イベント発生を検出する。【０１２１】
イベント発生を検出すると、移動局の制御部１００は、シーケンスＳ８１０を実行する。すなわち制御部１００は、送信系を制御し、制御チャネルを通じて、パラメータMをMaからMb（=Ncqi-Ma）に切り替える旨と、このパラメータMを継続させる回数Ｎを示すフラグを送信する。なお、継続回数Nは、上記の監視結果に応じた値に設定するようにしてもよい。以下の説明では、例としてNを「２」とする。また制御部１００は、カウンタｎを「０」にリセットする。【０１２２】
これに対して基地局では、制御部２００が、受信系を制御して上記制御チャネルを受信し、復調部２１３の復調結果から移動局から送信されたフラグを取得し、このフラグを解析して、移動局がパラメータMをMaからMbに変更することを認識するとともに、そのパラメータMをＮ回継続させて、CQI情報が送信されることを認識する。【０１２３】
そして、シーケンスＳ８１１において移動局は、制御部１００が、通信に先立って共通制御チャネルを通じて報知されているパイロットチャネルのリソース割り当て情報に基づいて、周波数チャネル分離部１１１に対して分離すべきチャネルを通知する。これにより、周波数チャネル分離部１１１は、制御部１００から通知されたCQIリソース情報に対応するNcqi個のリソースブロックのパイロット信号を分離して、パイロットデスクランブリング部１１２に出力する。【０１２４】
これにより、受信品質測定部１１３は、基地局から指定されたNcqi個のリソースブロックの信号が入力され、これについてCQI測定を行う。そして制御部１００は、受信品質測定部１１３の測定結果のうち、良好なMb個のCQI値を選択し、それらMb個のCQI値の平均と、Mb個のリソース位置情報に相当する値を示すCQI情報を生成する。【０１２５】
そして移動局では、シーケンスＳ８１２として制御部１００が、シーケンスＳ８１１で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、カウンタｎをインクリメントし、カウンタｎの値が、基地局にフラグで通知したNと等しくなったか否かを判定する。ここでは、まだ１度目の送信であるため、パラメータMをMbのまま継続し、Maへの更新は行わない。【０１２６】
そしてその後、基地局において、基地局が移動局にデータ送信するのに用いるリソースブロック位置、サブフレーム番号、コードレート等をスケジューリングしたとする（シーケンスＳ８１３）。これにより、基地局では、制御部２００が送信系を制御し、制御チャネルを通じて上記スケジューリングの結果に基づく制御情報と共にデータ送信を行う（シーケンスＳ８１４）。なお、この時点において制御部２００は、シーケンスＳ８１０によるフラグを受信しているため、次に移動局から送信されるCQI情報は、パラメータMbに対応するものであることを認識している。このように各時点で最適なMパラメータが選択されているので、基地局が下りデータ送信スケジューリングをする際、スケジューリングの正確性向上が期待できる。【０１２７】
そして、シーケンスＳ８１５において移動局は、シーケンスＳ８１１と同様にして、受信品質測定部１１３の測定結果のうち、良好なMb個のCQI値を選択し、それらMb個のCQI値の平均と、Mb個のリソース位置情報に相当する値を示すCQI情報を生成する。  
そして移動局では、シーケンスＳ８１６として制御部１００が、シーケンスＳ８１５で生成したCQI情報をＣＱＩチャネル生成部１０３に出力する。これにより、上記CQI情報は、ＣＱＩチャネル生成部１０３および送信系を通じて、基地局に送信される。このようにして、CQI情報を送信すると、制御部１００は、カウンタｎをインクリメントし、カウンタｎの値が、基地局からフラグにて通知されたNと等しくなったか否かを判定する。ここでは、２度目の送信であるため、カウンタｎの値がNに一致するので、パラメータMをMaに更新する。【０１２８】
以後、シーケンスＳ８１７において移動局は、シーケンスＳ８０３と同様にして、受信品質測定部１１３の測定結果のうち、良好なMa個のCQI値を選択し、それらMa個のCQI値の平均と、Ma個のリソース位置情報に相当する値を示すCQI情報を生成する。  
そして、移動局では、シーケンスＳ８１８として制御部１００が、シーケンスＳ８１７で生成したCQI情報をＣＱＩチャネル生成部１０３に出力する。これにより、上記CQI情報は、ＣＱＩチャネル生成部１０３および送信系を通じて、基地局に送信される。以後、シーケンスＳ８０９およびＳ８１０のように、イベントが発生するまでは、パラメータMaを採用して、CQI情報の生成と送信を行う。【０１２９】
以上のように、上記構成の無線通信システムでは、移動局がイベント発生を監視し、この監視結果に応じて、移動局が基地局に通知するCQIの数MをMaからMb（=Ncqi-Ma）に、あるいはMbからMa（=Ncqi-Mb）に切り替えるようにしている。このような構成により、移動局が基地局に通知するCQIの数Mを切り替えても、式（２）で示したようにCQI情報の量は変化しない。【０１３０】
したがって、上記構成の無線通信システムによれば、CQI値を送信するリソース数Mを切り替えても、CQI情報の量は変化しないので、パラメータMの変更に先立って移動局と基地局の間で、CQI情報の量を申し合わせる必要がない。【０１３１】
なお、上記実施の形態では、移動局から基地局に通知するフラグを通じて、切り替えたパラメータの継続回数Nを通知するようにしたが、このような移動局から基地局へのCQI情報の送信回数を復帰条件とするのではなく、時間による制限を設けるようにしてもよい。すなわち、移動局は基地局に対して、上記フラグにより制限時間Tを通知し、これに対して移動局の制御部１００は、上記フラグを送信した後にパラメータMbを切り替えるとともにタイマｔを起動し、その後、制限時間Tが経過するまでは、パラメータMbを採用し、やがて制限時間Tを経過すると元のパラメータMaに復帰するようにする。基地局においても同様に、制御部２００は、フラグ受信後、制限時間Tが経過するまでは、パラメータMbを採用し、制限時間Tが経過すると、パラメータMaを採用する。このような制御でも、移動局と基地局との間で、パラメータMの整合が取れ、またCQI情報の量は変化しないので、同様の効果が得られる。【０１３２】
次に、この発明の第５の実施形態に係わる無線通信システムについて説明する。この無線通信システムの受信局（移動局）および送信局（基地局）の各構成は、図２および図３で説明したものと同様であることより、説明を省略する。【０１３３】
ただし、第５の実施形態に係わる基地局の制御部２００は、第１の実施形態のシーケンスＳ５０１のように通信開始時に一度だけCQIリソース情報のスケジューリングを行い、以下のCQI送信を規定するのではなく、基地局においてイベント発生をトリガとしてスケジューリングを行う。このため、第５の実施形態に係わる基地局の制御部２００は、例えば移動局宛ての送信トラフィックが発生すると、これをトリガにして、上記スケジューリングを行う。【０１３４】
次に、上記構成の無線通信システムの動作について説明する。図９に、移動局と基地局との間で為されるCQI送信に関するシーケンス図を示す。  
まず、基地局では、移動局宛ての送信トラフィックが発生するなどして、CQI情報を取得する必要が生じると、制御部２００が、イベント発生と判断し、移動局に対して割り当てるCQIリソース情報をスケジューリングし、パラメータMについてもMaにすべきかMbにすべきかを決定する（シーケンスＳ９０１）。なお、ここでは、Maを選択したものとする。【０１３５】
そして、基地局では、制御部２００が送信系を制御し、制御チャネルを通じて上記スケジューリングの結果に基づくCQIリソース情報とパラメータMを移動局に通知する（シーケンスＳ９０２）。【０１３６】
これに対して移動局では、制御部１００が、受信系を制御して上記制御チャネルを受信し、制御チャネル復調部１１４の復調結果から基地局から送信されたCQIリソース情報とパラメータMを取得する。これにより制御部１００は、取得したパラメータMを参照することで、基地局に通知するCQIの数がMaであることを認識する。【０１３７】
そして移動局では、シーケンスＳ９０３として制御部１００が、通信に先立って共通制御チャネルを通じて報知されているパイロットチャネルのリソース割り当て情報に基づいて、周波数チャネル分離部１１１に対して分離すべきチャネルを通知する。これにより、周波数チャネル分離部１１１は、制御部１００から通知されたCQIリソース情報に対応するNcqi個のリソースブロックのパイロット信号を分離して、パイロットデスクランブリング部１１２に出力する。【０１３８】
これにより、受信品質測定部１１３は、基地局から指定されたNcqi個のリソースブロックの信号が入力され、これについてCQI測定を行う。そして制御部１００は、受信品質測定部１１３の測定結果のうち、良好なMa個のCQI値を選択し、それらMa個のCQI値の平均と、Ma個のリソース位置情報に相当する値を示すCQI情報を生成する。【０１３９】
そして移動局では、シーケンスＳ９０４として制御部１００が、シーケンスＳ９０３で生成したCQI情報をＣＱＩチャネル生成部１０３に出力する。これにより、上記CQI情報は、ＣＱＩチャネル生成部１０３および送信系を通じて、基地局に送信される。【０１４０】
この実施形態のように、なんらかのイベント発生を契機にCQI測定を行うトリガベース方式では、基本的にトリガがかけられたときのみCQI測定を行うようにするが、一回のトリガにつき決められた回数、または期間、CQI測定とCQI送信を繰り返し実行するようにしてもよい。この場合、移動局は、制御部１００の制御によって、予め設定した周期が到来する毎に、同じく予め設定された回数、または時間の間、シーケンスＳ９０３と同様にしてCQI測定が行われるとともに、その測定結果を基地局に送信する。以後、CQI測定とCQI送信を繰り返し実行する。【０１４１】
このとき基地局にこの移動局に対する下りデータ送信が発生した場合には、基地局は制御部２００により、移動局から送られたMa個のCQI情報や、この移動局以外の移動局からフィードバックされた情報を用いて、各移動局に対して下りデータを送信するためのスケジューリングを行い（シーケンスＳ９０５）、送信系を制御して制御チャネルを通じて基地局が各移動局にデータ送信するのに用いるリソースブロック位置、サブフレーム番号、コードレートなどの制御情報と共にデータ送信を行う（シーケンス９０６）。【０１４２】
やがて、基地局では、移動局宛ての別の送信トラフィックが発生するなどして、CQI情報を取得する必要が生じると、制御部２００が、イベント発生と判断し、移動局に対して割り当てるCQIリソース情報をスケジューリングし、パラメータMについてもMaにすべきかMbにすべきかを決定する（シーケンスＳ９０７）。なお、ここでは、Mbを選択したものとする。【０１４３】
そして、基地局では、制御部２００が送信系を制御し、制御チャネルを通じて上記スケジューリングの結果に基づくCQIリソース情報とパラメータMを移動局に通知する（シーケンスＳ９０８）。【０１４４】
これに対して移動局では、制御部１００が、受信系を制御して上記制御チャネルを受信し、制御チャネル復調部１１４の復調結果から基地局から送信されたCQIリソース情報とパラメータMを取得する。これにより制御部１００は、取得したパラメータMを参照することで、基地局に通知するCQIの数がMbであることを認識する。【０１４５】
そして移動局では、シーケンスＳ９０９として制御部１００が、通信に先立って共通制御チャネルを通じて報知されているパイロットチャネルのリソース割り当て情報に基づいて、周波数チャネル分離部１１１に対して分離すべきチャネルを通知する。これにより、周波数チャネル分離部１１１は、制御部１００から通知されたCQIリソース情報に対応するNcqi個のリソースブロックのパイロット信号を分離して、パイロットデスクランブリング部１１２に出力する。【０１４６】
これにより、受信品質測定部１１３は、基地局から指定されたNcqi個のリソースブロックの信号が入力され、これについてCQI測定を行う。そして制御部１００は、受信品質測定部１１３の測定結果のうち、良好なMb個のCQI値を選択し、それらMb個のCQI値の平均と、Mb個のリソース位置情報に相当する値を示すCQI情報を生成する。【０１４７】
そして移動局では、シーケンスＳ９１０として制御部１００が、シーケンスＳ９０９で生成したCQI情報をＣＱＩチャネル生成部１０３に出力する。これにより、上記CQI情報は、ＣＱＩチャネル生成部１０３および送信系を通じて、基地局に送信される（シーケンスＳ９１０）。【０１４８】
このとき基地局にこの移動局に対する下りデータ送信が発生した場合には、基地局は制御部２００により、移動局から送られたMb個のCQI情報や、この移動局以外の移動局からフィードバックされた情報を用いて、各移動局に対して下りデータを送信するためのスケジューリングを行い（シーケンスＳ９１１）、送信系を制御して制御チャネルを通じて基地局が各移動局にデータ送信するのに用いるリソースブロック位置、サブフレーム番号、コードレートなどの制御情報と共にデータ送信を行う（シーケンス９１２）。【０１４９】
以上のように、上記構成の無線通信システムでは、基地局がイベント発生を監視し、この監視結果に応じて、移動局が基地局に通知するCQIの数MをMaからMb（=Ncqi-Ma）に、あるいはMbからMa（=Ncqi-Mb）に切り替るようにしている。このような構成により、移動局が基地局に通知するCQIの数Mを切り替えても、式（２）で示したようにCQI情報の量は変化しない。【０１５０】
したがって、上記構成の無線通信システムによれば、CQI値を送信するリソース数を切り替えても、CQI情報の量は変化しないので、パラメータMの変更に応じたCQIチャネルフォーマットを複数用意する必要がない。【０１５１】
なお、上記実施の形態では、基地局でのイベント発生をトリガとして、パラメータMを更新するようにしたが、移動局でのイベント発生をトリガとして、パラメータMを更新するようにしてもCQI情報の量は変化しないので、同様の効果が得られる。【０１５２】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。【０１５３】
その一例として例えば、上記実施の形態では、上記実施の形態では、パラメータMをMaからMb（=Ncqi-Ma）に、あるいはMbからMa（=Ncqi-Mb）に切り替えるようにしたが、この２種類に限定されることはない。例えば、M値の集合を｛m1, m2, m3, m4, N-m1, N-m2, N-m3, N-m4｝のようにすることで、より細かいパラメータMの制御を行っても、情報量のバリエーションを半分にすることができる。  
その他、この発明の要旨を逸脱しない範囲で種々の変形を施しても同様に実施可能であることはいうまでもない。
【図１】
2009081628.tif 000005
【図２】
2009081628.tif 000006
【図３】
2009081628.tif 000007
【図４】
2009081628.tif 000008
【図５】
2009081628.tif 000009
【図６】
2009081628.tif 000010
【図７】
2009081628.tif 000011
【図８】
2009081628.tif 000012
【図９】
2009081628.tif 000013
【国際調査報告】
2009081628.tif 000014
2009081628.tif 000015